(57)【特許請求の範囲】
【請求項１】
積算電力計と電力負荷設備との間に設置され、給電停止及び停止解除を行う無停電端子に差し込まれたバイパスプラグを引き抜くためのプラグ引抜き工具において、
前記バイパスプラグの対向する２つの外側面に夫々形成された被係合部に係合する係合部を内側面に夫々備えると共に略平行に配置された一対の脚部、該一対の脚部の基端部側を連結一体化する基端連結片、及び前記係合部よりも基端部寄りの前記一対の脚部の内側面間を連結一体化する中間連結片を有した引抜き工具本体と、
前記引抜き工具本体の前記各脚部に対して夫々その長手方向に沿ってスライド自在に係合する一対のスライド片、及び前記各スライド片の基端部側を連結一体化するベース片を有し、前記引抜き工具本体を着脱自在に装着する引抜き補助部材と、を備え、
前記引抜き補助部材の各スライド片の前記スライド方向長は、前記引抜き工具本体の全長よりも大きく設定され、前記引抜き補助部材を前記引抜き工具本体にスライド自在に組み付けたときに前記ベース片は前記基端連結片の外側面と対向する位置にあることを特徴とするプラグ引抜き工具。
【請求項２】
前記引抜き工具本体には、前記各脚部の先端に先端開口部を有し、且つ前記基端連結片の外側面に基端開口部を有したスライドガイド穴が貫通形成され、
前記引抜き補助部材の各スライド片は、夫々前記スライドガイド穴内に前記基端開口部から差し込まれてスライド自在に支持され、前記先端開口部から各スライド片先端部を外部へ突出可能に構成されていることを特徴とする請求項１に記載のプラグ引抜き工具。
【請求項３】
前記引抜き補助部材の各スライド片には、前記各脚部とスライド自在に係合するスライド被ガイド部が設けられ、各スライド片先端部を、前記各脚部先端から外側へ突出可能に構成されていることを特徴とする請求項１に記載のプラグ引抜き工具。
【請求項４】
前記各脚部の外側面には、長手方向に沿って形成されたスライド係合部を有し、
前記引抜き補助部材の前記各スライド片には、前記引抜き工具本体の各スライド係合部に対してスライド自在に係合するスライド被係合部が設けられていることを特徴とする請求項１に記載のプラグ引抜き工具。
【請求項５】
前記引抜き補助部材の各スライド片の一方の長さを同等とするか、或いは一方のスライド片の長さを他方よりも短くしたことを特徴とする請求項１乃至４の何れか一項に記載のプラグ引抜き工具。
【発明の詳細な説明】
【技術分野】
【０００１】
本発明は、プラグ引抜き工具、特に、電力需要者側に設置された積算電力計に接続され、給電停止及び停止解除を行う無停電端子に差し込まれているプラグを引き抜くためのプラグ引抜き工具に関する。
【背景技術】
【０００２】
電力会社が電力需要者から電力料金を徴収する際には需要者の住居等に設置された電力量計の計量値に基づいて月々の使用量を算出して課金を行い、需要者は自動引き落とし、或いは振込みによって料金の精算を行う。
電力需要者が経済的な事情等により、消費電力量に対する使用料金が支払えない状況にある場合、電力供給者は電力需要者に対して電力の供給を停止する場合がある。その場合、電力の供給の停止を行うことが近い将来に必要となる電力需要者の積算電力計に対して無停電端子（例えば、特許文献１を参照。）を設置し、電力需要者が消費した消費電力量に対して料金を支払わない場合、予め取り付けておいた無停電端子に差し込まれているバイパスプラグを抜くという作業が必要となる。
【０００３】
図４は、無停電端子の取り付け状態を示す説明図である。柱上トランス１００で適正に降圧された電圧は、引き込み線１１０、電源側電線１１２、１１３、１１４を介して積算電力計２１０に入力され、負荷側電線２１２、２１３、２１４を介して電力消費機器７２０に印加される。電力消費機器２２０で消費された電力量は積算電力計２１０によって計量され、計量された消費電力量に応じて電力使用料金が請求され、電力需要者はその使用料金を支払うこととなる。
前述のように、電力需要者が経済的な事情等により、その使用料金が支払えない状況にあると、電力供給者は電力需要者に対して電力の供給を停止するため、電力需要者に対して、無停電端子３００を積算電力計２１０と電力消費機器２２０との間に電気的に設置する。具体的に、無停電端子３００は図４に示すように、負荷側電線２１２、２１４を切断し、その間に挿入される。負荷側電線２１３は積算電力計２１０と電力消費機器２２０に接続されたままである。ここで、積算電力計２１０と無停電端子３００を接続する線をリード線２１２ａ、２１４ａと記している。
【０００４】
図５は、無停電端子の概略断面図（ａ）と、それに用いるバイパスプラグの正面図（ｂ）と、側面図（ｃ）である。以下、無停電端子３００について説明するが、重複を避けるため、リード線２１２ａと負荷側電線２１２に関してのみ説明し、リード線２１４ａと負荷電線２１４に関しては省略する。
無停電端子３００は、合成樹脂製のケース３１１と、ケース３１１の開口部を塞ぐ合成樹脂製のカバー３１２と、ケース３１１内に絶縁的に分離配置された２つの導電ブロック３１３ａ、３１４ａとを備えている。一方の導電ブロック３１３ａには、止め螺子３１５ａによりリード線２１２ａが固定されている。
導電ブロック３１３ａ、３１４ａには、それぞれ、バイパスプラグ３５０の一方及び他方の端子３５１、３５２を挿入することができるプラグ端子挿入孔３２２ａ、３２３ａが平行に設けられている。これらのプラグ端子挿入孔３２２ａ、３２３ａに対応する部位のケース３１１は、それぞれ、プラグ端子挿入孔３２２ａ、３２３ａに連通すると共に、バイパスプラグ３５０の端子３５１、３５２が挿入可能なプラグ嵌合孔３２４ａ、３２５ａが設けられている。
また、無停電端子３００には、負荷側電線２１２が挿入できるように、導電ブロック３１４ａに引込線挿入孔３２６ａが設けられており、この引込線挿入孔３２６ａ内に先端が挿入された負荷側電線２１２は導電ブロック３１４ａに止め螺子３２７により保持されるように構成されている。
【０００５】
図５（ｂ）に示すように、バイパスプラグ３５０は、略コ字状に折曲された導電線と、この導電線の端子３５１、３５２を除く部分を合成樹脂によりモールドした絶縁本体部３５５とを備えている。端子３５１、３５２は、これらが略平行になるように絶縁本体部３５５の一方の側面から延びている。絶縁本体部３５５の側部に一対の凹部３５７が形成されている。
作業者がバイパスプラグ３５０の両端子３５１、３５２を、プラグ嵌合孔３２４ａ、３２５ａを介して、導電ブロック３１３ａ、３１４ａのプラグ端子挿入孔３２２ａ、３２３ａに挿入すると、両端子３５１、３５２は、それぞれ、プラグ端子挿入孔３２２ａ、３２３ａに電気的に接続され取り外し困難となる。従って、リード線２１２ａと負荷側電線２１２とは、止め螺子３１５ａ、導電ブロック３１３ａ、端子３５１、端子３５２、導電ブロック３１４ａ、止め螺子３２７を介して電気的に接続される。同様に、リード線２１４ａと負荷側電線２１４に関しても同一の構成が採用されており、説明は省略する。
【０００６】
図６は作業者がバイパスプラグを無停電端子から抜き取る作業を示す説明図である。積算電力計２１０及び無停電端子３００は、家屋２００の比較的高い位置、例えば、床面から１．８ｍ〜２ｍの範囲に設置されているので、作業者は、梯子や脚立に乗った状態で無停電端子３００に差し込まれているバイパスプラグ３５０を抜き取る作業を行うこととなる。
作業者は、例えば、右手Ｈの親指Ｈ１と人差し指Ｈ２とでバイパスプラグ３５０の絶縁本体部３５５を把持し、左手ｈで無停電端子３００を把持する。そして、絶縁本体部３５５及び無停電端子３００を把持した状態で、右手Ｈと左手ｈとを相反する方向に移動させるべく、両腕に力を入れる。そのようにして、両端子３５１、３５２は、それぞれ、プラグ端子挿入孔３２２ａ、３２３ａから徐々に引き抜かれ、やがてプラグ端子挿入孔３２２ａ、３２３から完全に抜けることとなる。
バイパスプラグ３５０が抜き取られることにより、リード線２１２ａと負荷側電線２１２及びリード線２１４ａと負荷側電線２１４とは電気的に切断されるので、電力需要者は電力消費機器２２０を使用することができなくなる。
【先行技術文献】
【特許文献】
【０００７】
【特許文献１】実用新案登録第３１１２７１５号
【特許文献２】特開２００９−４４９１９公報
【発明の概要】
【発明が解決しようとする課題】
【０００８】
無停電端子３００及びバイパスプラグ３５０は、積算電力計２１０に接続されたリード線２１２ａ、２１４ａによって、積算電力計２１０の近傍且つ作業者の背丈よりも高い位置の空間に浮いた状態に維持されており、また両端子３５１、３５２はプラグ端子挿入孔３２２ａ、３２３ａに取り外し困難に挿入されているので、作業者が無停電端子３００に差し込まれているバイパスプラグ３５０を引き抜くことは容易ではない。従って、作業者は、梯子や脚立に乗った状態で、強い挟着力により無停電端子３００に差し込まれているバイパスプラグ３５０を引き抜く作業を強いられ、時には作業者はペンチでバイパスプラグ３５０を引き抜かねばならないこともある。
また、両端子３５１、３５２が、プラグ端子挿入孔３２２ａ、３２３ａから完全に抜けると、両端子３５１、３５２とプラグ端子挿入孔３２２ａ、３２３ａとの間で生じていた摩擦力が急になくなるので、両手Ｈ、ｈには、互いに離れる方向に反動が働くこととなる。作業者の状態によっては、例えば、左手ｈが積算電力計２１０にぶつかり、右手Ｈは作業者自身にぶつかることもある。そのようなことが生じると、積算電力計２１０やバイパスプラグ３５０が破損し、また作業者が姿勢を崩して脚立や梯子から落ちて怪我をする恐れがある。
【０００９】
図７はバイパスプラグを引き抜くための従来の引抜き工具（鳥居形）をバイパスプラグに取り付けた状態を示す図である。この引抜き工具４００は、バイパスプラグ３５０の対向する２つの外側面に夫々形成された凹部（被係合部）３５７、３５７に係合する凸部（係合部）４０２、４０２を内側面に夫々備えた一対の脚部４０１、４０１、一対の脚部４０１、４０１の基端部側を連結一体化する基端連結片４０５、及び凹部３５７、３５７よりも基端部寄りの一対の脚部の内側面間を連結一体化する中間連結片４１０を有している。
引抜き工具４００の使用に際しては、図示したように無停電端子３００に取り付けられた状態にあるバイパスプラグ３５０の凹部３５７、３５７に対して凸部４０２、４０２が嵌合するように引抜き工具の脚部４０１、４０１を組み付ける。この状態で、一方の手で無停電端子３００を把持しながら、他方の手の指を基端連結片４０５と中間連結片４１０との間の空所Ｓ内に差し込んで基端連結片４０５に指を引っかけつつ矢印方向へ引き抜く。
【００１０】
しかし、この引抜き工具４００を用いたバイパスプラグの引抜き作業においても、作業者がバイパスプラグ３５０を引き抜くにはかなりの力を要し、空所Ｓに差し込んだ指の力だけでは容易に抜くことができないのが実情である。また、引き抜いたときの勢いにより積算電力計やバイパスプラグを破損したり、作業者が怪我をすることが多々ある。
また、ペンチ等の工具を用いて引抜き工具４００を引き抜くこともできるが、この作業も両手で行う必要があり、作業性が悪かった。また、ペンチ等の工具は引き抜き用の専用工具ではなく、しかも引抜き工具側にペンチで挟む手掛かりがないため、滑りやすい樹脂製の引抜き工具４００をペンチで挟んで引き抜く作業は容易ではない。
【００１１】
特許文献２（特開２００９−４４９１９公報）には、バイパスプラグ引抜き工具が開示されているが、構造が複雑でコストアップを招く虞がある。また、図７に示した既存の引抜き工具を利用することを前提とはしておらず、多用されている既存の引抜き工具による引抜き困難性を解消するものではない。
本発明は、上記課題に鑑みてなされたものであり、その目的は、積算電力計と電力負荷設備との間に設置され、給電停止及び停止解除を行う無停電端子に差し込まれたバイパスプラグを、ペンチなどの工具を用いずに片手により容易に引き抜くことが可能なプラグ引抜き工具を提供することにある。
また、図７に示した既存の引抜き工具による引抜き作業の困難性を解消して、引抜き作業を補助する機能を有したプラグ引抜き工具を提供するものである。
【課題を解決するための手段】
【００１２】
上記目的を達成するため、請求項１に記載のプラグ引抜き工具は、積算電力計と電力負荷設備との間に設置され、給電停止及び停止解除を行う無停電端子に差し込まれたバイパスプラグを引き抜くためのプラグ引抜き工具において、前記バイパスプラグの対向する２つの外側面に夫々形成された被係合部に係合する係合部を内側面に夫々備えると共に略平行に配置された一対の脚部、該一対の脚部の基端部側を連結一体化する基端連結片、及び前記係合部よりも基端部寄りの前記一対の脚部の内側面間を連結一体化する中間連結片を有した引抜き工具本体と、前記引抜き工具本体の前記各脚部に対して夫々その長手方向に沿ってスライド自在に係合する一対のスライド片、及び前記各スライド片の基端部側を連結一体化するベース片を有し、前記引抜き工具本体を着脱自在に装着する引抜き補助部材と、を備え、前記引抜き補助部材の各スライド片の前記スライド方向長は、前記引抜き工具本体の全長よりも大きく設定され、前記引抜き補助部材を前記引抜き工具本体にスライド自在に組み付けたときに前記ベース片は前記基端連結片の外側面と対向する位置にあることを特徴とする。
引抜き工具本体を用いてバイパスプラグの引抜き作業の困難性を解消して、片手による作業によって容易に引き抜くことが可能となる。
【００１３】
請求項２の発明は、前記引抜き工具本体には、前記各脚部の先端に先端開口部を有し、且つ前記基端連結片の外側面に基端開口部を有したスライドガイド穴が貫通形成され、前記引抜き補助部材の各スライド片は、夫々前記スライドガイド穴内に前記基端開口部から差し込まれてスライド自在に支持され、前記先端開口部から各スライド片先端部を外部へ突出可能に構成されていることを特徴とする。
脚部内に貫通形成したスライドガイド穴内に引抜き補助部材のスライド片をスライド自在に支持するので、引抜き時における引抜き補助部材の移動経路、姿勢を安定させることができる。
請求項３の発明は、前記引抜き補助部材の各スライド片には、前記各脚部とスライド自在に係合するスライド被ガイド部が設けられ、各スライド片先端部を、前記各脚部先端から外側へ突出可能に構成されていることを特徴とする。
引抜き工具本体に対して全く加工する必要がなくなり、既存の引抜き工具本体をそのまま使用することができる。
【００１４】
請求項４の発明は、前記各脚部の外側面には、長手方向に沿って形成されたスライド係合部を有し、前記引抜き補助部材の前記各スライド片には、前記引抜き工具本体の各スライド係合部に対してスライド自在に係合するスライド被係合部が設けられていることを特徴とする。
脚部に対する加工の程度を少なくすることができる。
請求項５の発明は、前記引抜き補助部材の各スライド片の一方の長さを同等とするか、或いは一方のスライド片の長さを他方よりも短くしたことを特徴とする。
無停電端子側に段差がある場合にも対応することができる。
【発明の効果】
【００１５】
本発明のプラグ引抜き工具によれば、既存の鳥居形の引抜き工具に若干の変形を加えるか、或いは既存の引抜き工具そのものに対して引抜き補助部材を適用することにより、片手による作業によってバイパスプラグを引き抜くことが可能となる。
バイパスプラグに対して既存の引抜き工具（引抜き工具本体）をセットした状態で、引抜き補助部材を引抜き工具本体側に設けたスライドガイド穴に引抜き補助部材のスライド片をスライド自在に挿入した構成、その他のスライド自在な構成を有するため、片手による作業により、強い力を要せずに、プラグを引き抜くことができる。
【図面の簡単な説明】
【００１６】
【図１】（ａ）乃至（ｄ）は本発明の一実施形態に係るプラグ引抜き工具の構成と、プラグ引抜き手順を説明する図である。
【図２】（ａ）、（ｂ）及び（ｃ）は本発明の他の実施形態に係るプラグ引抜き工具の構成を示す分解斜視図、Ｘ−Ｘ断面図、及びＹ−Ｙ断面図である。
【図３】（ａ）及び（ｂ）は本発明の他の実施形態に係るプラグ引抜き工具の構成を示す分解斜視図、及びＺ−Ｚ断面図である。
【図４】無停電端子の取り付け状態を示す説明図である。
【図５】（ａ）は無停電端子の概略断面図、（ｂ）はバイパスプラグの正面図、（ｃ）は側面図である。
【図６】作業者がバイパスプラグを無停電端子から抜き取る作業を示す説明図である。
【図７】従来の引抜き工具をバイパスプラグに取り付けた状態を示す図である。
【発明を実施するための形態】
【００１７】
以下、本発明の実施の形態を図面を参照しながら詳述する。
無停電端子とバイパスプラグは、図４〜図７で説明したものと同じものを想定している。従って、図４〜図７中の各構成要素については同一符号を用いて引用しながら説明する。
図１（ａ）乃至（ｄ）は本発明の一実施形態に係るプラグ引抜き工具の構成と、プラグ引抜き手順を説明する図である。
本発明のプラグ引抜き工具１は、積算電力計と電力負荷設備との間に設置され、給電停止及び停止解除を行う無停電端子３００のプラグ端子挿入孔に差し込まれたバイパスプラグを引き抜くための手段である。無停電端子の上面にはプラグ端子挿入孔を備えたプラグ装着部３２１が突設されている。
プラグ引抜き工具１は、バイパスプラグ３５０に直接係合する引抜き工具本体２と、引抜き工具本体２に対してスライド自在に係合して人手による引抜き作業を補助するスライド部材（引抜き補助部材）２０と、から構成されている。
【００１８】
引抜き工具本体２は、バイパスプラグ３５０の対向する２つの外側面に夫々形成された凹部（被係合部）３５７、３５７に係合する凸部（係合部）６、６を内側面に夫々備えた一対の脚部５、５と、一対の脚部５、５の基端部側を連結一体化する基端連結片８と、凸部６、６よりも基端部寄りの一対の脚部５、５の内側面間を連結一体化する中間連結片１０と、を有している。
スライド部材（引抜き補助部材）２０は、引抜き工具本体の各脚部５、５に対して夫々その長手方向に沿ってスライド自在に係合した一対のスライド片２１、２１と、各スライド片の基端部側を連結一体化するベース片２３を有した略コ字状の部材である。
スライド部材２０のスライド片２１、２１のスライド方向長（長手方向長）Ｌ１は、引抜き工具本体の全長Ｌ２よりも長く設定され、スライド部材２０を引抜き工具本体２にスライド自在に組み付けたときにベース片２３は基端連結片８の外側面（図面では上面）と対向する外側位置にある。
【００１９】
スライド部材の各スライド片２１、２１を夫々引抜き工具本体の脚部５、５に対してスライド自在に係合させる構成は種々あり得る。
図１の実施形態に係るプラグ引抜き工具１では、引抜き工具本体２には、各脚部５、５の先端に先端開口部１１ａ、１１ａを有し、且つ基端連結片の外側面に基端開口部１１ｂ、１１ｂを有したスライドガイド穴１１、１１が貫通形成されている。
スライド部材２０の各スライド片２１、２１はその先端部を、夫々スライドガイド穴１１、１１内に基端開口部１１ｂ、１１ｂから差し込まれてスライド自在に支持され、スライド部材を最も押し込んだときには先端開口部１１ａ、１１ａから各スライド片先端部を外部（先方）へ突出可能に構成されている。
【００２０】
このプラグ引抜き工具１を用いて、無停電端子３００に差し込まれたバイパスプラグ３５０を引き抜く際には、図１（ａ）に示した引抜き工具本体２をバイパスプラグ３５０に組み付ける。引抜き工具本体２の凸部６、６がバイパスプラグの凹部（被係合部）３５７、３５７に嵌合するように取り付ければ組み付けが完了する。
この状態で、（ｂ）に示すようにスライドガイド穴１１、１１の基端開口部１１ｂ、１１ｂからスライド部材の各スライド片２１、２１の先端部を差し込み、各スライド片の先端部が先端開口１１ａ、１１ａを介して無停電端子３００の上面に接触した状態とする。
なお、予めスライドガイド穴に各スライド片を差し込んだ状態で、バイパスプラグに対して引抜き工具本体を組み付けることも可能である。
【００２１】
続いて（ｄ）に示すように作業者の人差し指等を基端連結片８と中間連結片１０との間の空所Ｓに挿入しつつ、掌の一部をベース片２３の外面に当接させた状態で人差し指を上方（プラグ引抜き方向）へ引きつつ、掌によりベース片２３の外面をプラグへ向けて押し込む。つまり、（ｄ）の状態で手を握りしめるように力をこめる。すると、（ｃ）に示すようにスライド部材の先端部が先端開口部から突出して無停電端子上面と当接するため、引抜き工具本体２は各スライド片２１、２１に沿ってスライドしながら上昇を開始し、凸部６、６により保持したバイパスプラグ３５０を一体的に上昇させる。バイパスプラグの上昇に伴ってプラグ端子３５１、３５２がプラグ端子挿入孔から引き抜かれ始め、最後には完全に引き抜かれた状態となる。
この引抜き作業は、一方の手だけで、しかも小さな力（握力）で実施可能であり、他方の手で無停電端子３００を保持する必要はない。このため、従来のように作業者が無理な姿勢で相当な腕力をもってバイパスプラグ３５０を引き抜くという作業が不要となる。このため、バイパスプラグを抜いたときの勢いで周辺の機器を損傷したり作業者が怪我をする事態を回避できる。
【００２２】
なお、図１中に破線で示したように、スライド部材２０の上部、即ち各スライド片２１、２１の上部に横方向への突出部２３ａを設けることにより、（ｃ）のようにバイパスプラグを引き抜いた後でスライド部材を引抜き工具本体２から離脱させる際に、突出部２３ａを手掛かりとすることが可能となり、離脱作業が容易となる。
要するに、スライド部材は、各スライド片が脚部に設けたスライドガイド穴をスライドする構成であれば、それ以外の部分は把持し、操作易いように種々変形させることができる。このことは、他の実施形態にも同様に当てはまる。
【００２３】
次に、図２（ａ）、（ｂ）及び（ｃ）は本発明の他の実施形態に係るプラグ引抜き工具の構成を示す分解斜視図、Ｘ−Ｘ断面図、及びＹ−Ｙ断面図である。なお、図１の実施形態と同一部分には同一符号を付して説明する。
このプラグ引抜き工具１では、引抜き工具本体２には一切加工が加えられていない代わりに、スライド部材２０の各スライド片２１、２１側に、引抜き工具本体の脚部５、５の外面に対してスライド自在に係合するスライド被ガイド部２５、２５が設けられている。
このスライド被ガイド部２５、２５は、図示のように各スライド片２１、２１の形状を、脚部５、５の外側三面と接してこれらを包囲するようにコ字状に構成している。
無停電端子に装着されたバイパスプラグ３５０を引き抜く際には、予め引抜き工具本体２をバイパスプラグにセットした状態で、この引抜き工具本体２の脚部５、５の外面（コ字状の三面）にスライド部材の断面形状がコ字状のスライド被ガイド部２５、２５が被さるように組み付ける。
【００２４】
この状態で、図１（ｄ）に示したように片手の指を空所Ｓに差し込んでプラグ引抜き方向へ力を入れると同時に、掌でスライド部材のベース片２３の外面をプラグへ向けて押し込むことにより、片手による小さい力によってバイパスプラグを引き抜くことができる。
スライド部材２０のスライド片２１、２１のスライド方向長（長手方向長）Ｌ１は、引抜き工具本体の全長Ｌ２よりも長く設定され、スライド部材２０を引抜き工具本体２にスライド自在に組み付けたときにベース片２３は基端連結片８の外側面（図面では上面）と対向する外側位置にある。このような長さ設定としたため、スライド片に沿って引抜き工具本体をスライドさせた際に、各脚部先端よりも各スライド片先端部を外部（先端方向）へ突出させることができる。即ち、図１（ｃ）のような引抜き操作において、スライド片先端が無停電端子面に当接した状態で、バイパスプラグを保持した引抜き工具本体はスライド片に沿って無停電端子面から離間する方向へ移動することが可能となる。
【００２５】
次に、図３（ａ）及び（ｂ）は本発明の他の実施形態に係るプラグ引抜き工具の構成を示す分解斜視図、及びＺ−Ｚ断面図である。なお、図１の実施形態と同一部分には同一符号を付して説明する。
このプラグ引抜き工具１では、引抜き工具本体２の各脚部５、５の外面に長手方向へ延びるスライド係合部１３、１３が形成されている一方で、スライド部材２０の各スライド片２１、２１に、スライド係合部１３、１３に対してスライド自在に係合するスライド被係合部３０、３０が設けられている。
スライド係合部１３、１３は、断面四角形状の溝であり、スライド被係合部３０、３０はこのスライド係合部１３、１３に嵌合して長手方向へスライドする断面四角形状の突条である。スライド係合部１３、１３を突条とし、スライド被係合部３０、３０を溝としてもよい。また、溝、及び突条の断面形状は、四角形以外の任意の形状であってもよい。
【００２６】
無停電端子に装着されたバイパスプラグ３５０を引き抜く際には、予め引抜き工具本体２をバイパスプラグにセットした状態で、この引抜き工具本体２の脚部５、５に設けたスライド係合部１３、１３に、各スライド片に設けた各スライド係合部３０、３０が嵌合するように、スライド部材２０を組み付ける。この状態で、図１（ｄ）に示したように片手の指を空所Ｓに差し込んでプラグ引抜き方向へ力を入れると同時に、掌でスライド部材のベース片２３の外面をプラグへ向けて押し込むことにより、片手による小さい力によってバイパスプラグを引き抜くことができる。
スライド部材２０のスライド片２１、２１のスライド方向長（長手方向長）Ｌ１は、引抜き工具本体の全長Ｌ２よりも長く設定され、スライド部材２０を引抜き工具本体２にスライド自在に組み付けたときにベース片２３は基端連結片８の外側面（図面では上面）と対向する外側位置にある。このような長さ設定としたため、スライド片に沿って引抜き工具本体をスライドさせた際に、各脚部先端よりも各スライド片先端部を外部（先端方向）へ突出させることができる。即ち、図１（ｃ）のような引抜き操作において、スライド片先端が無停電端子面に当接した状態で、バイパスプラグを保持した引抜き工具本体はスライド片に沿って無停電端子面から離間する方向へ移動することが可能となる。
【００２７】
なお、図３の実施形態と図２の実施形態を組み合わせた構成としてもよい。即ち、図２に示したスライド被ガイド部２５、２５の内側面に図３に示したスライド被係合部３０、３０を突設し、脚部５、５にスライド係合部１３、１３を設けた構成としてもよい。
なお、図２、図３の実施形態は、図１とは異なってスライド部材２０の各スライド片２１、２１が引抜き工具本体の脚部５、５の外側に位置するため、脚部５、５の先端部が接する無停電端子３００の上面の近傍に突起等の障害物がある場合には何れか一方のスライド片の先端部を当接する場合の障害となることが考えられる。即ち、スライド片２１、２１の長さが図示のように均等であり、且つ各スライド片先端部の当接面の高さ位置が異なるとすれば、両スライド片の先端部を均等に無停電端子面に当接しながらの引抜き作業が難しくなり、作業の支障となることがある。
しかし、この場合にはスライド片の長さを無停電端子面の段差（高低差）に合わせて予め異ならせておくことにより、対応することができる。即ち、両スライド片の先端部が当接する無停電端子面の高さが異なる場合には、一方のスライド片の先端部を異なる高さ分だけ他方より短く（長く）構成することにより、両スライド片の先端部を均等に無停電端子面に当接しながらの引抜き作業が可能となる。
【００２８】
以上のように本発明のプラグ引抜き工具によれば、既存の鳥居形の引抜き工具に若干の変形を加えるか、或いは既存の引抜き工具そのものに対してスライド部材を適用することにより、片手による作業によってバイパスプラグを引き抜くことが可能となる。
即ち、バイパスプラグに対して既存の引抜き工具（引抜き工具本体）をセットした状態で、スライド部材を引抜き工具本体側に設けたスライドガイド穴にスライド部材のスライド片をスライド自在に挿入した構成、その他のスライド自在な構成を有するため、片手による握力だけの作業により、両腕の腕力を用いた強い力を要せずに、プラグを引き抜くことができる。
【符号の説明】
【００２９】
１…プラグ引抜き工具、２…引抜き工具本体、５…脚部、６…係合部、８…基端連結片、１０…中間連結片、１１…スライドガイド穴、１１ａ…先端開口部、１１ｂ…基端開口部、１３…スライド係合部、２０…スライド部材（引抜き補助部材）、２１…スライド片、２３…ベース片、２３ａ…突出部、２５…スライド被ガイド部、３０…スライド被係合部、３００…無停電端子、３２１…プラグ装着部、３５０…バイパスプラグ、３５１、３５２…プラグ端子、３５７…被係合部
【図１】
0005468596.tif 000002
【図２】
0005468596.tif 000003
【図３】
0005468596.tif 000004
【図４】
0005468596.tif 000005
【図５】
0005468596.tif 000006
【図６】
0005468596.tif 000007
【図７】
0005468596.tif 000008